(57)【特許請求の範囲】
【請求項１】
左右の側板の間に複数段の棚板を掛け渡した棚装置において、前後方向の幅を大として、前後両面から積載物を出し入れ可能とし、かつ正面から見て方形枠状に形成された鋼製の補強枠を、２枚の側板の前後方向の中央部に設けた中間支柱に固定して、側板同士を連結してなり、さらに前記側板を、木製板からなる複数の側板パネルを、鋼製の中間支柱を介して前後方向に連結したものとしたことを特徴とする棚装置。
【請求項２】
側板を上下につなぐことにより背を高くしうるようにした棚装置において、方形枠状の補強枠を、上下につないだ２個の側板にまたがって位置させ、かつ上下及び左右の４個の側板に固定して、それらを連結したことを特徴とする請求項１に記載の棚装置。
【発明の詳細な説明】
【０００１】
【発明の属する技術分野】
本発明は、図書館や事務所等で使用されて書籍や物品を載せる棚装置に関し、特にその側板を中心とした構造に関する。
【０００２】
【従来の技術】
従来、棚装置としては、木質系、鋼材系等各種のものがあるが、大型のものでは、外観のよさと強度の確保の観点から、鋼製部材と木製部材を組み合わせた棚装置が多く用いられている。
鋼製部材と木製部材を組み合わせた棚装置としては、例えば、実公平１ー１８０４３号公報に記載されているようなものがある。
【０００３】
【発明が解決しようとする課題】
この棚装置は、大きな積載重量、長期間使用、乾燥等により変形し反りが生じることを防止するために、側板内面に鋼板を内張りし、この鋼板の内張りにより増大した重量を軽減するために、鋼製支柱を特殊な断面形状の太いものとして、それに、前後に分割して小型とした木製の側板を掛け止めするようにしている。
【０００４】
しかし、上述の従来の棚装置の側板構造は、変形や反りを防止するために木製の側板に内張りした鋼板によって、木質の化粧効果が大きく損なわれるばかりでなく、側板が、支柱に掛け止めされて、単に木質の化粧として使用されているだけで、棚装置本体の強度部材として用いられていないため、鋼製支柱や、支柱を立てる鋼製脚等の部材に、棚板や積載物ばかりか、側板の荷重も一手に受け持たせることになる。そして、鋼製支柱を特殊な断面形状で太くするなどして剛性を高め、かつ支柱を極めて堅固に支持しうる脚部を必要とし、かつ強固な組み付け作業を要している。
【０００５】
また、これらの棚装置においては、背の低いものから背の高いものに変更しようとする場合には、支柱または側板を、背の高いものとそっくり交換しなければならず、今まで使用していた低い棚用の支柱または側板が無駄になっていた。
【０００６】
本発明の目的は、このような問題点を解決するために、木製部材を強度部材として用いることにより、木質の長所を強調しながら、木質部分が反り等により変形しにくい、剛性の高い側板構造とし、さらに背の低い棚装置を背の高いものに変更する場合に、背の低い棚装置の部材を生かしながら、部材を追加することによって変更を可能とした棚装置を提供することにある。
【０００７】
【課題を解決するための手段】
本発明によると、上記課題は次のようにして解決される。
（１）左右の側板の間に複数段の棚板を掛け渡した棚装置において、前後方向の幅を大として、前後両面から積載物を出し入れ可能とし、かつ正面から見て方形枠状に形成された鋼製の補強枠を、２枚の側板の前後方向の中央部に設けた中間支柱に固定して、側板同士を連結してなり、さらに前記側板を、木製板からなる複数の側板パネルを、鋼製の中間支柱を介して前後方向に連結したものとする。
【０００８】
（２）上記(１)項において、側板を上下につなぐことにより背を高くしうるようにした棚装置において、方形枠状の補強枠を、上下につないだ２個の側板にまたがって位置させ、かつ上下及び左右の４個の側板に固定して、それらを連結する。
【０００９】
【発明の実施の形態】
（実施例１）
本発明の実施例１を、図１〜図８を用いて説明する。
実施例１は、図書館等で使用する大型の書棚であり、前後両面から書物を出し入れできる複式の棚装置である。まず、図１〜３を用いて概略の説明をする。
棚装置(１)は、左右端部に１対の側板(２)(３)を有し、かつ中央に１枚の側板(４)を有している。この３枚の側板(２)(３)(４)は、棚装置(１)を床に立てる脚でもある。
【００１０】
３枚の側板(２)(３)(４)の間には、天板(５)(５)、１０枚の棚板(６)、左右１対の底板(７)(７)が掛け渡されている。棚板は全部で６段である。この中で、天板(５)(５)、及び底板(７)(７)は、３枚の側板(２)(３)(４)にボルトで強固に固定されている。
【００１１】
強度部材としては、上記の側板(２)(３)(４)、天板(５)(５)、底板(７)(７)以外に、本発明の特徴としての、鋼製角管を溶接して正面から見て方形枠状に形成された補強枠(８)(８)があり、各補強枠(８)は、側板(２)(３)(４)の前後方向中央に、ボルトで固定されている。補強枠(８)は、角管で溶接されているために剛性があり、棚装置(１)が上下で左右にずれる変形を防止する、筋交いの働きをしている。
【００１２】
各棚板(６)の上には、本の倒れを防ぐ多くのブックサポート(９)が設けられている。また、棚装置(１)に書物を前後両面から出し入れして並べるのに必要なブックストッパ(10)が、棚板(６)の前後方向の中央に設けられている。
側板(３)の上部には、図書の分類番号等を示すカードを入れるカード入れ(11)が設けられている。
【００１３】
次に、側板の構造を中心に、細部構造を図４〜図８を用いて説明する。
３枚の側板のうちの中間にある側板(４)は、前後に並ぶ２枚の側板パネル(12)(12)と、２枚の側板パネル(12)(12)の前後の端部にほぼ同じ高さで接して立つ１対の前後端支柱(13)(13)と、中央にほぼ同じ高さで立ち２枚の側板パネル(12)(12)をつなぐ中間支柱(14)と、側板パネル(12)(12)の上下の端面に接して、これらを結合する上下１対の横補強材(15)(16)とを有している。
【００１４】
側板パネル(12)は、木材からなり、木質系パネルとしての美観とともに、適度の厚みと必要な強度を有しており、かつ、その前後の端面及び上下の端面には、外周を１周する角溝状の凹溝(17)が形成されている。ただし図で明らかなように、凹溝(17)の溝幅は同じであるが、深さは前後、上下で異なっている。
【００１５】
前後端支柱(13)は、鋼製角管からなり、その長さは、側板パネル(12)の上下の凹溝(17)の底から底までの長さと等しく、側板パネル(12)の前後の端面の凹溝(17)に、前後方向の約半分を埋めて嵌合されている。
【００１６】
中間支柱(14)もまた、鋼製角管からなり、その長さは、前後端支柱(13)と同じであり、前後にある２枚の側板パネル(12)(12)の対向端面の凹溝(17)(17)に嵌合して、挟み付けられている。中間支柱(14)の断面形状は、角形で凹溝(17)と同じ幅であるが、前後方向長さは、前後端支柱(13)のそれよりも大きく、側板パネル(12)(12)の凹溝(17)(17)の底面で中間支柱(14)を挟みつけた時に、側板パネル(12)(12)の端面間に大きな間隙が形成されるようにしてある。この大きな間隙に面する中間支柱(14)の側面には、前後方向中心位置で高さ方向の中央部に方形の補強枠(８)を取り付けるための２個のボルト孔(18)(18)と、補強枠(８)の前後両側で棚板(６)を掛け渡す棚ブラケット(19)を係止させるための係止孔(20)の列を、片側で２列、両側面で計４列上下方向に向けて設けてある。
【００１７】
上下１対の横補強材(15)(16)も、鋼製角管からなり、その長さは、２枚の側板パネル(12)(12)が中間支柱(14)を挟み付けている時の前後の凹溝(17)(17)の底から底までの長さと等しく、２個の側板パネル(12)(12)の上下の端面の凹溝(17)(17)に、全部が嵌入されている。
【００１８】
以上の部材は、次のように組み立てられ結合されて、１個の中間用側板(４)となる。２枚の側板パネル(12)(12)の凹溝(17)(17)に対して、１対の前後端支柱(13)(13)、中間支柱(14)、上下１対の横補強材(15)(16)を嵌め込み、１対の前後端支柱(13)(13)と上下１対の横補強材(15)(16)で作り出される４個のコーナー部の開口に、それぞれＬ形コーナー連結部材(21)を差し込み、前後端支柱(13)側の差込部を２個のボルトで固定し、連結する。
【００１９】
ついで、前後端支柱(13)(13)と２枚の側板パネル(12)(12)と中間支柱(14)とを前後方向に貫通する上下２個のボルト孔と、上部の前後１対のＬ形コーナー連結部材(21)(21)と上横補強材(15)とを前後方向に貫通する１個のボルト孔とに、３本の長寸のボルト(22)を貫通し、ナット(22a)を締め込む。なおその前に、上下１対の横補強材(15)(16)を、それぞれ２本のボルト(23)(23)で中間支柱(14)の上下の端面にねじ込み固定しておく。
【００２０】
かくして、中間部側板(４)の本体部が組み上げられる。これは、長期間に耐える充分な強度を持つものであり、変形も反りもしにくいものである。
【００２１】
さらに、中間部側板(４)は、木製としての美観もよく備えている。すなわち、図５、図６に示すように、前端支柱(13)の前側と後端支柱(13)の後側とに、上下に長い前後カバー(24)(24)を被せて、中間の側板(４)を結合しているボルト(22)の頭とナット(22a) 等を覆っている。前後端支柱(13)への前後カバー(24)の取り付けは、図示を省略したが、例えば、支柱(13)に設けた孔に、前後カバー(24)に設けたフックを係止させて行うのがよい。
【００２２】
中間支柱(14)の両側面の前後方向の中間部には、補強枠(８)を取り付けるための露出部があるが、この部分には、上下に長い横カバー(25)(25)を被せてある。また、上横補強材(15)の上面には、上部カバー(26)(27)を被せてある。
【００２３】
ここで、前後端支柱(13)(13)に前後カバー(24)(24)を被せた場合に、前後カバー(24)と側板パネル(12)との端面間に間隙が形成されるようにしてあり、その間隙に位置する前後端支柱(13)(13)の側面には、棚ブラケット(19)を係止させるための係止孔(20)の列が、両面に１列づつ上下に並べて設けられている。
【００２４】
そのため、前後カバー(24)(24)、横カバー(25)(25)、上部カバー(26)(27)により、各支柱等は、幅の狭い係止孔(20)の列の部分のみを残して、金属面が隠されることになる。カバー類としては、引き抜き材を使った場合には、木質感の色彩を施しておくのがよい。
【００２５】
下部の前後１対のＬ形コーナー連結部材(21)(21)の下面には、めねじ孔を設け、棚装置(１)の水平を出すための２個のアジャスタ(28)のおねじ部をねじ込んである。
【００２６】
次に、左右の端部にある１対の側板(２)(３)の構造について説明する。端部用側板(２)(３)は、中間用側板(４)とは異なり、棚板(６)を取り付けるのは内側の１面のみであるから、外側面でより多く木質感を出せるような構造としてある。
【００２７】
端部用側板(３)は、主な構成部品として、前後に並ぶ２枚の内側側板パネル(29)(29)と、この内側側板パネル(29)(29)の前後の端面に同じ高さで接する１対の前後端支柱(13)(13)と、２枚の内側側板パネル(29)(29)に挟まれてそれらをつなぐ中間支柱(14)と、同じく上下の端面に接して結合する上下１対の横補強材(15)(16)と、これらの部材が組まれた状態のものに対して、外側から被せて嵌まりながら重なる外側側板パネル(30)とを有している。
【００２８】
上記部品のうち前後端支柱(13)(13)、中間支柱(14)、横補強材(15)(16)は、中間用側板(４)のものと同じものである。
【００２９】
内側側板パネル(29)は、木製板からなり、その前後及び上下の端面に、その内側側面に沿って外周を１周して外方に突き出る板状の突部(31)を有している。ただし、突部(31)の高さは端面によって異なる。内側側板パネル(29)の形状は、中間用側板(４)の側板パネル(12)から、その端面で凹溝(17)を形成している横壁の厚さで、その横壁を含んで一方の側面を削り落としたのと同じである。
【００３０】
外側側板パネル(30)は、内面にくぼんだ平らな面を有しており、前述の内側側板パネル(29)(29)、前後端支柱(13)(13)、中間支柱(14)、横補強材(15)(16)を組み付けて、それらを中間用側板(４)と同様に、４個のＬ形コーナー連結部材(21)と、前後方向を向くボルト(22)とナット(22a) 、及びその他のボルトにより締め付けたものを、前記くぼんだ面内に収容して、前後と上の３方を囲んで（ただしボルト(22)の頭、ナット(22a) 等の部分のみは肉を逃がしている）、下方のみは開放しており、内側側板パネル(29)の板状の突部(31)と、外側側板パネル(30)のくぼんだ平らな面とで、前後端支柱(13)(13)、中間支柱(14)、横補強材(15)(16)の側面を挟み付け、内側側板パネル(29)と外側側板パネル(30)とを、２本のボルト(32)(32)を内側から通して、ねじ止めされている。
【００３１】
外側側板パネル(30)は、厚みを増し、前後コーナー部に勾配を付け、化粧板としての美観を増している。その美観のために、前述のボルト(32)のためのねじ孔は、外側側板パネル(30)の外側面までは貫通していない。
【００３２】
内側側板パネル(29)(29)、前後端支柱(13)(13)、中間支柱(14)、横補強材(15)(16)の組付けは、中間用側板(４)の場合と全く同じであり、４個のＬ形コーナー連結部材(21)(21)、３本の長いボルト(22)と普通長さのボルトで行われる。
【００３３】
外側側板パネル(30)は、中間用側板(４)の前後カバー(24)(24)、横カバー(25)(25)、上部カバー(26)(27)と同じく、支柱等の金属を覆い隠す機能を有しているから、これらの部品を必要としない。ただし、中間支柱(14)の内側面を覆うための横カバー(25)１個と、新たに前後端支柱(13)(13)の一部（係止孔(20)の列より前後外側部分）を覆うための端部横カバー(33)２個とが設けられている。これにより、各支柱等は、幅の狭い係止孔(20)の列の部分のみを残して、金属面が隠されることになる。
【００３４】
なお、中間用側板(４)と同じように、下部の前後１対のＬ形コーナー連結部材(21)(21)の下面には、めねじ孔を設け、棚装置(１)の水平を出すための２個のアジャスタ(28)のおねじ部をねじ込んである。
【００３５】
次に、この側板(２)(３)(４)を用いての棚装置全体の組立について説明する。
これら３枚の側板(２)(３)(４)とともに強度部材として、それらの間を横に結合する天板(５)(５)、底板(７)(７)が必要であり、さらに本発明の特徴として、方形枠状に形成された補強枠(８)(８)が組み込まれる。
【００３６】
天板(５)は、上部棚板(34)、化粧天板(35)、および上部棚板(34)の前後端面を覆う前後天板カバー(36)(36)とからなっている。
【００３７】
上部棚板(34)は、強度部材としての主体となるものであり、鋼板を溶接して形成されており、中間用側板(４)に対しては２個の中間用連結金具(37)を用いて、端部用側板(３)に対しては２個の端部用連結金具(38)とを用いて、ボルト締めされ、結合されている。
化粧天板(35)は木製である。
【００３８】
前後天板カバー(36)(36)は、書籍分類や内容等を記した名札を差し込むものであり、引き抜き材または合成樹脂材からなっている。
【００３９】
底板(７)は、鋼板製であり、上部棚板(34)と同様に、中間用側板(４)に対しては２個の中間用連結金具(37)を用いて、端部用側板(３)に対しては２個の端部用連結金具(38)を用いて、ボルト締めされ、結合されている。また、底板(７)は、前後端面の金属面を前後の底板カバー(39)で覆われている。
【００４０】
さらに、本発明の特徴である補強枠(８)は、鋼製角管を溶接して、正面から見て方形枠状に形成されたものであり、剛性が高く、中間用側板(４)側の中間支柱(14)に対しては、２組の長寸のボルト(40)(40)とナット(41)(41)とにより、端部用側板(３)側の中間支柱(14)に対しては、ボルト(42)(42)により、横カバー(25)(25)を介して、ねじ締め固定されている。
【００４１】
これが結合された結果として、補強枠(８)の筋交いの機能により、棚装置(１)は、上下で左右に変形のしにくい剛性の高いものとなっている。
【００４２】
補強枠(８)は、もう１つの機能を持っている。即ち、棚装置を側板を上下につないで背を高くする場合に、単に２個の側板の上下端でつなぐだけでは、剛性の弱いものになってしまうが、方形枠状の補強枠(８)を、上下につないだ２枚の側板にまたがって位置させ、上下及び左右の４個の側板に同時に固定させることにより、上下につないだ棚装置を剛性の高いものとすることができる。これについては、実施例２で詳しく説明する。
【００４３】
棚板(６)は、図８に示すように、中間支柱(14)の多数の係止孔(20)のいずれかに棚ブラケット(19)を係止させ、その棚ブラケット(19)により保持される。
【００４４】
実施例１の前後両面から書物を出し入れできる複式の棚装置では、係止孔(20)の列は、前後端支柱(13)(13)にそれぞれ１列、中間支柱(14)に２列、合計４列あり、棚板(６)は前後に２枚取り付けられる。
【００４５】
（実施例２）
本発明の実施例２を、図９を用いて説明する。
実施例２は、実施例１の前後両面から書物を出し入れできる複式の棚装置に対して、上に側板等を継ぎ足して、背を高くした例である。
【００４６】
先ず、中間用側板(51)について説明する。実施例１の標準型に組んだ中間用側板(３)から、上横補強材(15)と前後２個のコーナー連結部材(21)とを取り外したものへ、間座(52)を間に入れて、継ぎ足し用側板(53)を上に載せ継ぎ足してある。
【００４７】
継ぎ足し用側板(53)は、標準型と同様に、高さの低い継ぎ足し用の２個の側板パネル(54)、２個の前後端支柱(55)、１個の中間支柱(56)を前後につないだものである。継ぎ足し用前後端支柱(55)の下部には、差込部(57)が設けられている。
【００４８】
継ぎ足し用側板(53)は、前後の差込部(57)を標準型の前後端支柱(13)(13)の上端の角孔に差し込み、上面には、標準型の方から取り外した上横補強材(15)と、前後２個のＬ形コーナー連結部材(21)とを差し込んで、それぞれの差込部を２個のボルトで固定し、上下を連結してある。
【００４９】
さらに、継ぎ足し用側板(52)は、上では上横補強材(15)と前後２個のＬ形コーナー連結部材(21)とを、下では継ぎ足し用の２個の側板パネル(54)、２個の前後端支柱(55)、１個の中間支柱(56)とを標準型同様に前後方向水平に貫通するボルト孔に対して、２個の長いボルト(22)(22)を通して、ナット(22a)(22a)とともに締め付けられている。
【００５０】
上横補強材(15)の上面には上部カバー(26)を、継ぎ足し用の２個の前後端支柱(54)には継ぎ足し用の前後カバー(58)(58)を被せて、ボルト(22)等を隠してある。
【００５１】
次に、左端部用側板(61)について説明する。先ず、実施例１の標準型の左端部用側板(２)から外側側板パネル(30)の上面カバーを、上を向いた２個のピン(63)を有する端部用側板間座(62)に替えて、その上に継ぎ足し用端部用側板(64)を載せて、それ自身の下横補強材(16)に２個のピン(63)を差し込んで上下を連結する。
【００５２】
継ぎ足し用端部用側板(64)の構造は、標準型の端部用側板(２)と全く同じであり、ただ違うのは背丈が低いだけである。即ち、図９では分解されていないので、はっきり示されていないが、継ぎ足し用の２個の内側側板パネル(65)、２個の継ぎ足し用前後端支柱(54)、１個の継ぎ足し用中間支柱(55)、上下１対の横補強材(15)(16)とを、４個のＬ形コーナー連結部材(21)、２個の長いボルト(22)、その他のボルトで連結した後、継ぎ足し用の外側側板パネル(66)を被せて、内側からのボルトで、内側側板パネル(65)(65)と外側側板パネル(66)とを固定し連結してある。
【００５３】
上記のように組まれた単体の側板(51)(61)を用いて、棚装置を組み上げる場合に、継ぎ足した上部の強度や剛性は、それらの側板(51)(61)の上端で強度部材としての天板(５)で連結するだけでは不充分である。
【００５４】
そこで、実施例１の標準型棚装置(１)で用いている補強枠(８)を、側板の継ぎ足し部にも左右で２個用いて補強している。即ち、図９では、２個の方形状の補強枠(８)が用いられているが、下側の１個は、すでに実施例１で説明した筋交いの機能をもって標準型の補強を行っているものであり、上の方が、今回の側板の継ぎ足し部補強用のものである。この上方の補強枠(８)は、左右、上下合わせて４個の側板の中間支柱(14)(14)(55)(55)の側面に対して、横カバー(25)(25)、継ぎ足し用横カバー(67)(67)（図示省略）を介してボルトで固定され、継ぎ足し部を強固に補強している。
【００５５】
【発明の効果】
本発明によれば、次の効果が得られる。
(１)  請求項１記載の発明によると、鋼製の補強枠は、筋交いの働きをして、棚装置全体の剛性を増すことができる。補強枠自体は、棚装置の前側に設けるものではないから、積載物の出し入れの邪魔にならず、積載する物や書籍等の後ろに隠れて目立つことはない。逆にその分、支柱等を細くすることができて、装置の重量を軽減するとともに、それだけ木質部分を目立たせて、木質のよさを強調することができる。
したがって、特に図書館等の大型書棚等として好適である。
【００５６】
また補強枠自体は、前後方向の中央部に設けられ、前後両面から積載物を出し入れするから、出し入れの邪魔にならず、積載物の後ろに隠れて目立たない。
【００５７】
さらに、筋交いの働きをする補強枠を、前後方向の中央部における変形しにくい鋼製の中間支柱に接続してあるから、確実に棚装置全体の剛性を増すことができる。
【００５８】
(２)  請求項２記載の発明によると、背の高い棚装置にする場合に、標準型または背の低い棚装置の側板関係の部材を生かして、剛性を持たせながら部材を追加し継ぎ足すことができ、部材の共通化、コストダウンに貢献しうる。
【図面の簡単な説明】
【図１】本発明の実施例１の棚装置の正面図である。
【図２】同じく側面図である。
【図３】同じく平面図である。
【図４】同じく端側側板取付部分の分解斜視図である。
【図５】同じく中間側板取付部分の分解斜視図である。
【図６】図１のＡ−Ａ線による拡大横断平面図である。
【図７】図１のＢ−Ｂ線による中間部分の拡大縦断側面図である。
【図８】本発明の実施例１の、棚板取付部の断面図である。
【図９】本発明の実施例２の、背を高くした複式の棚装置の側板取付部分の分解斜視図である。
【符号の説明】
(１)  棚装置
(２)(３)(４) 側板
(５)  天板
(６)  棚板
(７)  底板
(８)  補強枠
(９)  ブックサポート
(10)  ブックストッパ
(11)  カード入れ
(12)  側板パネル
(13)  前後端支柱
(14)  中間支柱
(15)(16)  横補強材
(17)  凹溝
(18)  ボルト孔
(19)  棚ブラケット
(20)  係止孔
(21)  コーナー連結部材
(22)(23)(32)(40)(42)  ボルト
(22a)(41) ナット
(24)  前後カバー
(25)  横カバー
(26)(27)  上部カバー
(28)  アジャスタ
(29)  内側側板パネル
(30)  外側側板パネル
(31)  突部
(33)  端部横カバー
(34)  上部棚板
(35)  化粧天板
(36)  前後天板カバー
(37)  中間用連結金具
(38)  端部用連結金具
(39)  底板カバー
(51)  継ぎ足しされた中間用側板
(52)  間座
(53)  継ぎ足し用側板
(54)  継ぎ足し用側板パネル
(55)  継ぎ足し用前後端支柱
(56)  継ぎ足し用中間支柱
(57)  差込部
(58)  継ぎ足し用の前後カバー
(61)  継ぎ足しされた端部用側板
(62)  端部用側板間座
(63)  ピン
(64)  継ぎ足し用端部用側板
(65)  継ぎ足し用内側側板パネル
(66)  継ぎ足し用外側側板パネル
(67)  継ぎ足し用横カバー
【図１】
0003551398.tif 000002
【図２】
0003551398.tif 000003
【図３】
0003551398.tif 000004
【図４】
0003551398.tif 000005
【図５】
0003551398.tif 000006
【図６】
0003551398.tif 000007
【図７】
0003551398.tif 000008
【図８】
0003551398.tif 000009
【図９】
0003551398.tif 000010